(57)【要約】【課題】コンビニエンスストア等の店舗において、ファクシミリサービスを利用する顧客及び店員がファクシミリ装置の設定状態を気にすることなく、常に、店舗業務の利用に対し顧客が優先的にファクシミリサービスを利用できるファクシミリ装置及びファクシミリ送信方法を提供する。【解決手段】ファクシミリサービスの利用についての課金処理の実行が指定されているとき、課金モードでの送信処理の要求を受付ける一方、課金処理の実行が指定されていないとき、非課金モードでの送信処理の要求を受付ける。非課金モードでの送信処理中に、割込み送信処理の要求があったとき（Ｓ６０５）、実行中の送信処理を中断して（Ｓ６０８）要求される割込み送信処理を実行する。課金モードでの送信処理中に、割込み送信処理の要求があっても（Ｓ６０５）、実行中の送信処理を続行する（Ｓ６０７）。【選択図】図６
2008219770.tif 000002
【特許請求の範囲】
【請求項１】
ファクシミリサービスの利用について課金処理を実行するか否かを指定するための課金処理要否指定手段と、
該手段により課金処理の実行が指定されているとき、課金モードでの送信処理の要求を受付ける一方、同手段により課金処理の実行が指定されていないとき、非課金モードでの送信処理の要求を受付ける送信処理要求受付手段と、
非課金モードでの送信処理中に、割込み送信処理の要求があったとき、実行中の送信処理を中断して要求される割込み送信処理を実行する割込み制御手段と、を備えることを特徴とするファクシミリ装置。
【請求項２】
前記割込み制御手段は、課金モードでの送信処理中に、割込み送信処理の要求があっても、実行中の送信処理を続行することを特徴とする請求項１に記載のファクシミリ装置。
【請求項３】
ファクシミリサービスの利用について課金処理を実行するか否かを指定するための課金処理要否指定手段と、
該手段により課金処理の実行が指定されているとき、課金モードでのメモリ送信処理の要求を受付ける一方、同手段により課金処理の実行が指定されていないとき、非課金モードでのメモリ送信処理の要求を受付ける送信処理要求受付手段と、
メモリ送信ジョブの実行中に、常にメモリ送信ジョブの予約状況を監視する予約状況監視手段と、
前記予約状況監視手段が、実行中のメモリ送信ジョブより優先度の高いメモリ送信ジョブを発見した場合に、実行中のメモリ送信処理を中断して発見された前記優先度の高いメモリ送信ジョブを割込んで実行する割込み制御手段と、を備えており、
前記割込み制御手段は、非課金モードでのメモリ送信ジョブの優先度よりも課金モードでのメモリ送信ジョブの優先度を高いとみなして制御することを特徴とするファクシミリ装置。
【請求項４】
前記割込み制御手段は、中断された前記メモリ送信処理により送信することができなかった未送信頁のデータをメモリ送信処理するためのメモリ送信ジョブを生成することを特徴とする請求項３に記載のファクシミリ装置。
【請求項５】
前記割込み制御手段は、中断された前記メモリ送信処理により送信された送信済頁のデータを削除することを特徴とする請求項３又は４に記載のファクシミリ装置。
【請求項６】
前記送信処理要求受付手段が非課金モードでの送信処理要求を受付ける状態にある場合に限り、非課金モードでのメモリ送信ジョブの実行中にメモリ送信中である旨の報知を行う手段を更に備えることを特徴とする請求項３乃至５の何れか１項に記載のファクシミリ装置。
【請求項７】
ファクシミリサービスの利用について課金処理を実行するか否かを指定するステップと、
課金処理の実行が指定されているとき、課金モードでのメモリ送信処理の要求を受付ける一方、課金処理の実行が指定されていないとき、非課金モードでのメモリ送信処理の要求を受付けるステップと、
メモリ送信ジョブの実行中に、常にメモリ送信ジョブの予約状況を監視するステップと、
実行中のメモリ送信ジョブより優先度の高いメモリ送信ジョブが前記監視により発見された場合に、実行中のメモリ送信処理を中断して発見された前記優先度の高いメモリ送信ジョブを割込んで実行するステップと、を備えており、
前記非課金モードでのメモリ送信ジョブの優先度よりも前記課金モードでのメモリ送信ジョブの優先度が高いとみなされて制御されることを特徴とするファクシミリ送信方法。
【請求項８】
中断された前記メモリ送信処理により送信することができなかった未送信頁のデータをメモリ送信処理するためのメモリ送信ジョブを生成するステップを更に含むことを特徴とする請求項７に記載のファクシミリ送信方法。
【請求項９】
中断された前記メモリ送信処理により送信された送信済頁のデータを削除するステップを更に含むことを特徴とする請求項７又は８に記載のファクシミリ送信方法。
【請求項１０】
非課金モードでの送信処理要求を受付ける状態にある場合に限り、非課金モードでのメモリ送信ジョブの実行中にメモリ送信中である旨の報知を行うステップを更に含むことを特徴とする請求項７乃至９の何れか１項に記載のファクシミリ送信方法。
【発明の詳細な説明】
【技術分野】
【０００１】
本発明は、コンビニエンスストア等の店舗でファクシミリサービスを提供するために設置されているファクシミリ装置及び該装置により実施されるファクシミリ送信方法に関する。
【背景技術】
【０００２】
近年、多くのコンビニエンスストア等の店舗で、顧客に有料にてファクシミリサービスが提供されている。顧客にファクシミリサービスを提供するために店舗に設置されているファクシミリ装置は、顧客に使用されるほか、店員の業務に使用されることがある。
【０００３】
店舗に設置されているファクシミリ装置には、利用料を課金するための課金処理装置が備え付けられているものの、それ以外の構成は、一般的なファクシミリ装置と何ら相違しない。したがって、店員が業務のために店舗に設置しているファクシミリ装置を利用してファクシミリ送信を行っている最中に、ファクシミリサービスの利用を目的とした顧客が来店すると、実行中のファクシミリ送信が終了するまで、顧客を待たせなければならなかった。つまり、業務上のファクシミリ装置の利用に対して顧客の利用を優先させることができなかった。
【０００４】
ところで、特許文献１には、ファクシミリ送信中にその送信を中断して、新たなファクシミリ送信を割り込んで送信することができる機能を備えたファクシミリ装置が開示されている。このファクシミリ装置を前記店舗に設置すれば、店舗業務に係るファクシミリ送信中に顧客のファクシミリ送信を割り込むことが可能であり、店舗業務での利用に対して顧客の利用を優先させることができると考えられる。
【０００５】
しかし、特許文献１に係るファクシミリ装置によれば、店舗業務に係るファクシミリ送信に対して顧客のファクシミリ送信を割り込ませることはできるものの、顧客のファクシミリ送信に対して店舗業務に係るファクシミリ送信、或いはその他の顧客のファクシミリ送信を割り込ませてしまうおそれがある。特許文献１のファクシミリ装置が有する割り込み許否設定機能を利用して割込み送信に一定の制限を課して上記問題を解消することも考えられる。すなわち、顧客がファクシミリ装置を使用している時に、設定を割り込み拒否とし、店員がファクシミリ装置を使用している時に、設定を割り込み許可とすれば、上記問題点を解消することができる。
【０００６】
ところが、この場合は、店員又は顧客によって、割込み許否設定の状態を常に確認する必要があり、顧客及び店員の双方にとってファクシミリサービスを利用する際の設定確認が煩雑になるという問題が生じる。万一、確認を怠って意図する割込み許否設定と逆の設定でファクシミリサービスを利用すれば、顧客の利用に対して店舗業務での利用を優先させてしまうこととなる。
【０００７】
また、店舗に設置している従来のファクシミリ装置にはその他の問題もある。例えば、多くのファクシミリ装置は、メモリ送信中にその旨をユーザに知らせるべく、表示部にメモリ送信中である旨のメッセージを表示する機能を備えているが、該機能が顧客の優先的な利用の実質的な妨げとなることがある。つまり、店舗業務に係るファクシミリ送信をメモリ送信にて実行している最中に、顧客が来店しファクシミリ装置の表示部に表示されているメモリ送信中であるとのメッセージを見ると、多くの顧客は、ファクシミリサービスの利用を遠慮し、メモリ送信が終了するまで待機するか、或いは、待ちきれずに顧客が帰ってしまうおそれがある。
【特許文献１】特開平９−２６１４４３号公報
【発明の開示】
【発明が解決しようとする課題】
【０００８】
本発明はかかる問題点を解決すべく創案されたものであり、ファクシミリサービスを利用する顧客及び店員がファクシミリ装置の設定状態を気にすることなく、常に、店舗業務の利用に対し顧客が優先的にファクシミリサービスを利用できるファクシミリ装置及びそのファクシミリ送信方法を提供することを目的とする。
【０００９】
併せて、店舗業務に係るメモリ送信中に顧客が割込み送信を行う際に、顧客にメモリ送信中であることを気付かせずにファクシミリサービスを利用してもらうことができるファクシミリ装置及びそのファクシミリ送信方法を提供することをも目的とする。
【課題を解決するための手段】
【００１０】
上記課題を解決するため、本発明のファクシミリ装置は、ファクシミリサービスの利用について課金処理を実行するか否かを指定するための課金処理要否指定手段と、該手段により課金処理の実行が指定されているとき、課金モードでの送信処理の要求を受付ける一方、同手段により課金処理の実行が指定されていないとき、非課金モードでの送信処理の要求を受付ける送信処理要求受付手段と、非課金モードでの送信処理中に、割込み送信処理の要求があったとき、実行中の送信処理を中断して要求される割込み送信処理を実行する割込み制御手段と、を備える。
【００１１】
このファクシミリ装置によれば、店員が業務上利用する非課金モードでの送信処理中に、顧客の利用に係る割込み送信処理の要求があったとき、業務上の利用に係る実行中の送信処理を中断して要求される顧客の割込み送信処理が実行されるので、常に、店舗業務の利用に対し顧客のファクシミリサービスの利用が優先される。また、課金処理を行うか否かを指定するための操作は店舗に設置されるファクシミリ装置では必ず行われている操作であるので、課金処理の指定操作さえ確実に行われれば、顧客及び店員はファクシミリ装置の設定状態を気にすることなく、常に、店員の利用に対して、顧客の利用を優先させることができる。
【００１２】
また、本発明のファクシミリ装置は、割込み制御手段が、課金モードでの送信処理中に、割込み送信処理の要求があっても、実行中の送信処理を続行するものである。
【００１３】
このファクシミリ装置によれば、顧客の利用に係る課金モードでの送信処理中に、割込み送信処理の要求があっても、顧客の利用に係る実行中の送信処理が続行されるので、顧客がファクシミリサービスを利用している時に店員や他の顧客が割込んでファクシミリ送信をすることができない。
【００１４】
また、本発明のファクシミリ装置は、ファクシミリサービスの利用について課金処理を実行するか否かを指定するための課金処理要否指定手段と、該手段により課金処理の実行が指定されているとき、課金モードでのメモリ送信処理の要求を受付ける一方、同手段により課金処理の実行が指定されていないとき、非課金モードでのメモリ送信処理の要求を受付ける送信処理要求受付手段と、メモリ送信ジョブの実行中に、常にメモリ送信ジョブの予約状況を監視する予約状況監視手段と、前記予約状況監視手段が、実行中のメモリ送信ジョブより優先度の高いメモリ送信ジョブを発見した場合に、実行中のメモリ送信処理を中断して発見された前記優先度の高いメモリ送信ジョブを割込んで実行する割込み制御手段と、を備えており、前記割込み制御手段は、非課金モードでのメモリ送信ジョブの優先度よりも課金モードでのメモリ送信ジョブの優先度を高いとみなして制御するものである。
【００１５】
このファクシミリ装置によれば、店員が業務上利用する非課金モードでのメモリ送信中に、顧客がメモリ送信のための操作を行った場合、優先度の低い非課金モードでのメモリ送信（店舗業務の利用に係るメモリ送信）が中断され、優先度の高い課金モードでのメモリ送信（顧客の利用に係るメモリ送信）が実行される。このため、常に、店舗業務の利用に対し顧客が優先的にファクシミリサービスを利用できる。また、課金処理を行うか否かを指定するための操作は店舗に設置されるファクシミリ装置において必ず行われている操作であるので、課金処理の指定操作さえ確実に行えば、顧客及び店員は、ファクシミリ装置の設定状態を気にすることなく、常に、店員の利用に対して、顧客の利用を優先させることができる。さらにまた、顧客のメモリ送信処理の割込みは、顧客の特別な操作を必要とせず、自動的に行われるため、顧客は快適に割込み機能を利用できる。
【００１６】
また、本発明のファクシミリ装置は、前記割込み制御手段が、中断された前記メモリ送信処理により送信することができなかった未送信頁のデータをメモリ送信処理するためのメモリ送信ジョブを生成するものである。
【００１７】
このファクシミリ装置によれば、店員のメモリ送信に対して顧客のメモリ送信が割込んで処理されても、中断された店員のメモリ送信により送信することができなかった未送信頁が後に自動的送信されるので、店員は未送信頁の再送信のための操作に煩わされることがなくなる。
【００１８】
また、本発明のファクシミリ装置は、前記割込み制御手段が中断された前記メモリ送信処理により送信された送信済頁のデータを削除するものである。このファクシミリ装置によれば、メモリ等の記憶資源の節約が図られる。
【００１９】
また、本発明のファクシミリ装置は、前記送信処理要求受付手段が非課金モードでの送信処理要求を受付ける状態にある場合に限り、非課金モードでのメモリ送信ジョブの実行中にメモリ送信中である旨の報知を行う手段を更に備えるものである。
【００２０】
このファクシミリ装置によれば、店舗業務の利用に係るメモリ送信中に、店員がファクシミリサービスを利用する際には、メモリ送信中であることを容易に把握でき、併せて、顧客が割込み送信を行う際には、顧客にメモリ送信中であることを気付かせずにファクシミリサービスを利用してもらうことができる。
【００２１】
また、本発明のファクシミリ送信方法は、ファクシミリサービスの利用について課金処理を実行するか否かを指定するステップと、課金処理の実行が指定されているとき、課金モードでのメモリ送信処理の要求を受付ける一方、課金処理の実行が指定されていないとき、非課金モードでのメモリ送信処理の要求を受付けるステップと、メモリ送信ジョブの実行中に、常にメモリ送信ジョブの予約状況を監視するステップと、実行中のメモリ送信ジョブより優先度の高いメモリ送信ジョブが前記監視により発見された場合に、実行中のメモリ送信処理を中断して発見された前記優先度の高いメモリ送信ジョブを割込んで実行するステップと、を備えており、前記非課金モードでのメモリ送信ジョブの優先度よりも前記課金モードでのメモリ送信ジョブの優先度が高いとみなされて制御されるものである。
【００２２】
また、本発明のファクシミリ送信方法は、中断された前記メモリ送信処理により送信することができなかった未送信頁のデータをメモリ送信処理するためのメモリ送信ジョブを生成するステップを更に含むものである。
【００２３】
また、本発明のファクシミリ送信方法は、中断された前記メモリ送信処理により送信された送信済頁のデータを削除するステップを更に含むものである。
【００２４】
また、本発明のファクシミリ送信方法は、非課金モードでの送信処理要求を受付ける状態にある場合に限り、非課金モードでのメモリ送信ジョブの実行中にメモリ送信中である旨の報知を行うステップを更に含むものである。
【００２５】
これらのファクシミリ送信方法によれば、前述したファクシミリ装置と同様の作用効果が奏される。
【発明の効果】
【００２６】
本発明によれば、ファクシミリサービスを利用する顧客及び店員がファクシミリ装置の設定状態を気にすることなく、常に、店舗業務の利用に対し顧客が優先的にファクシミリサービスを利用できる。併せて、店舗業務に係るメモリ送信中に顧客が割込み送信を行う際に、顧客にメモリ送信中であることを気付かせずにファクシミリサービスを利用してもらうことができ、顧客が他人の原稿がメモリ送信中であることに気付いてファクシミリサービスの利用を遠慮したり、混乱したりすることを避けることができる。この結果、顧客に待たせることを極力無くしつつ、店舗業務でも使用できるファクシミリ装置及びファクシミリ送信方法を実現でき、ひいては、顧客に対するサービスの向上を図ることができる。
【発明を実施するための最良の形態】
【００２７】
以下、本発明の実施の形態について、図面を参照して説明する。本発明の実施の形態におけるファクシミリ装置は、例えばコンビニエンスストアなど、ファクシミリサービスを有料にて提供している場所（以下「販売店」ともいう。）に設置されて使用される。
【００２８】
本発明の実施の形態におけるファクシミリ装置として複合機型のファクシミリ装置を例に挙げて説明するが、本発明はファクシミリ送信機能を有する物であれば、これに限らず適用できる。つまり、複合機型のファクシミリ装置に限らず、ファクシミリ通信機能のみを有するファクシミリ装置、ファクシミリクライアント／サーバシステムなどにも適用できる。
【００２９】
本発明の実施の形態におけるファクシミリ装置は、送信処理のモードとして、顧客が販売店に利用料を支払う場合に機能させる課金モードと、店員等が利用料を支払わない場合に機能させる非課金モードとを有する。これらのモードの設定などについては後に詳述する。
【００３０】
課金モードでの送信処理が行われる場合は、送信処理とともにファクシミリ装置内で課金処理が実行され、算出された課金情報がＬＡＮを通じて接続されたＰＯＳシステム端末（不図示）へ送出される。なお、ファクシミリ装置に入金装置を備え付けておき、課金情報を入金装置へ送出し、入金装置（不図示）が課金情報に基づいて、顧客が入金すべき利用料を表示するように構成してもよい。
【００３１】
なお、本明細書及び特許請求の範囲においては、送信処理には送信そのもののほか原稿の読取処理も含まれる。
【００３２】
＜ファクシミリ装置の外観＞
図１に、本発明の実施の形態におけるファクシミリ装置の一例として複合機型のファクシミリ装置１（以下単に「ファクシミリ装置１」という。）の外観を示す。ファクシミリ装置１の本体１００の上部正面側には、操作部１０１が設けられており、その後方に自動原稿送給装置付きの原稿読取装置（画像読取部）１０２が設けられている。本体１００の下方には給紙トレイ１０３〜１０７が設けられており、本体１００の図示左方には複数段からなる排紙トレイ１０８設けられている。また、操作部１０１は、その左半分がＬＣＤタッチパネル１０１ａで構成され、その右半分が多数の操作キーなど１０１ｂで構成されている。給紙トレイ１０３〜１０７は異なるサイズの用紙をセットすることが可能で、その時々に応じて適切な用紙がこれら給紙トレイ１０３〜１０７から本体１００内へ供給される。
【００３３】
ファクシミリ装置１は、ファクシミリ通信機能を有し、電話回線にＮＣＵを介して接続されている。操作者が原稿読取装置１０２に原稿をセットし、ファクシミリ送信のための操作を操作部１０１で行うことで、ファクシミリ送信を行うことができる。ファクシミリ受信や通信結果表などの出力は給紙トレイ１０３〜１０７から適切なサイズの用紙が給紙され、当該用紙にファクシミリデータや通信結果などのデータが印字された後、排紙トレイ１０８へ排紙される。
【００３４】
ファクシミリ装置１は、ダイレクト送信機能とメモリ送信機能を備えている。ダイレクト送信機能は、原稿読み取り装置１０２のスキャナで原稿データを１頁読み取るごとに、読み取った原稿データを逐次相手先へ送信する機能である。メモリ送信機能は、スキャナで読み取った原稿データを一旦メモリに蓄積した後に、当該メモリから原稿データを読み出しつつ送信を行う機能である。
【００３５】
＜操作パネルの構成＞
図２に、操作部１０１の構成例を示す。操作部１０１は、ＬＣＤタッチパネル１０１ａ、ファンクション選択キー２０１、ファンクションＬＥＤ２０２、基本操作キー２０３等で構成されている。ＬＣＤタッチパネル１０１ａは、ファクシミリ装置が備える各種機能を利用する際に必要な各種の操作ボタン等を表示する。ファンクション選択キー２０１は、ＬＣＤタッチパネル１０１ａの画面を当該キー操作により切り替えるために設けられている。ファンクションＬＥＤ２０２は、点灯状態により現在のファンクション状態を示す。基本操作キー２０３は、操作者がテンキー操作やファクシミリ送信処理のスタート操作などを行うために設けられている。
【００３６】
ファンクションキー２０１のファックス／イメージ送信キー２０４を操作者が押下することにより、ＬＣＤタッチパネル１０１ａがファクシミリ送信の設定を行う送信設定画面３０１（図３参照）に切り替わる。送信設定画面３０１内の送信設定部３０３でファクシミリ番号や解像度などの送信設定を行った後、基本操作キー２０３のスタートキー２０５（図２参照）を操作者が押下することでファクシミリ送信処理が開始される。
【００３７】
基本操作キー２０３に含まれる割り込みキー２０６はダイレクト送信処理中又はメモリ送信のための原稿読取処理中に割り込み送信を行うために利用されるが、その詳細については後述する。その他、図３のメッセージ表示部３０２には、ファクシミリ送信可能かどうか、送信中であるかどうかなどを示す文字列が表示される。ＬＣＤタッチパネル１０１ａ上には、処理進行状況に応じて、図９〜図１０、図１２〜図１４に示されるようなメッセージウィンドウが表示される。
【００３８】
＜ファクシミリ装置の機能ブロック＞
図４に、ファクシミリ装置１の機能ブロックを示す。ファクシミリ装置１は、操作部１０１、画像読取部１０２、画像形成部４０１、画像処理部４０２、機器制御部４０３、ファクシミリモデム４０４、課金処理部４０５等で構成されている。
【００３９】
操作部１０１は、操作者の操作情報を受けて、これを機器制御部４０３へ送出する。画像読取部１０２は、送信すべき原稿の画像データを読み取る。読み取られた原稿の画像データ（以下「原稿データ」ともいう。）は、機器制御部４０３によりメモリ４０６に格納される。
【００４０】
画像形成部４０１は、各種画像データを形成し、形成した画像データを印字出力する。画像形成部４０１は、メモリ４０６、印字部４０７等で構成されている。メモリ４０６には、送信中の原稿の画像データ４０６ａ、割り込み送信する原稿の画像データ４０６ｂ、後述するメモリ送信予約テーブル４０６ｃ（図１５参照）などが格納される。画像処理部４０２は、メモリ４０６上の画像データを適切な画像形式に変換処理する。
【００４１】
機器制御部４０３は、ファクシミリ装置１を構成する各種機器の制御を行う。機器制御部４０３は、例えば、ＣＰＵ、ＲＯＭ、ＲＡＭ等のハードウエア資源により構成され、ＲＯＭに格納された制御プログラムをＣＰＵが実行することにより、割込み判断部４０８、モード管理部４０９、表示画面制御部４１０等としても機能する。割込み判断部４０８は、送信処理中に割り込み送信要求があった場合に、割り込み送信を許可するか否かを判断する。モード管理部４０９は、実行中の送信処理のモードについての管理、判断等を行う。表示画面制御部４１０は、ＬＣＤタッチパネル１０１ａに出力する表示画面の制御を行い、特に、モード管理部４０９と連携して、非課金モードでの送信処理中に表示する情報の一部を課金モードでの送信処理中に表示しないように出力制御を行う。この出力制御については後に詳述する。
【００４２】
また、機器制御部４０３は操作部１０１とともに、ファクシミリサービスの利用について課金処理を実行するか否かを指定するための課金処理要否指定手段として機能する。例えば、機器制御部４０３は操作部１０１において操作者により所定キーの押下の組み合わせがなされた場合や所定パスワードが入力された場合に、課金処理の指定があったものと判断し、課金処理部４０５に対してファクシミリサービスの利用について課金処理を命じる。あるいは、機器制御部４０３は操作部１０１における前記入力と異なるパターンで入力がなされた場合に、課金処理の実行が指定されていないものと判断し、課金処理部４０５に対してファクシミリサービスの利用について課金処理の命令を解除する。
【００４３】
さらに、機器制御部４０３のモード管理部４０９は、前記課金処理要否指定手段により、課金処理の実行が指定されている時に現在のモードを課金モードであると判断し、機器制御部４０３は、この時に行われる送信処理の要求操作（送信のための操作）を課金モードでの送信処理の要求として受付け、課金モードで送信処理（送信のための読取処理も含む。）を実行する。一方、機器制御部４０３のモード管理部４０９は、前記課金処理要否指定手段により、課金処理の実行が指定されていない時に現在のモードを非課金モードであると判断し、機器制御部４０３は、この時に行われる送信処理の要求操作（送信のための操作）を非課金モードでの送信処理（送信のための読取処理も含む。）の要求として受付け、非課金モードで送信処理を実行する。
【００４４】
課金処理部４０５は、機器制御部４０３から課金処理の実行命令を受けているときに、課金処理を行う。課金処理は、通信時間、送信枚数、掛かった電話料金等に基づいて、ファクシミリサービスの利用料金を算出する処理である。課金処理により得られた課金情報は、ＬＡＮを通じてＰＯＳ端末へ送出される。ファクシミリ装置１に入金装置が備え付けられている場合には、当該入金装置へ課金情報が送出される。
【００４５】
なお、課金処理要否指定手段の他の構成例を下記に挙げる。すなわち、ファクシミリ装置１に、２ポジションのスイッチを設け、このスイッチの切替状態の信号を機器制御部４０３へ送出し、機器制御部４０３がその信号に基づいて課金処理の実行の指定の有無を判断する構成としてもよい。さらに、前記スイッチの切替についてのロック機能を設け、ロック解除時にのみスイッチの切替が可能なように構成してもよい。例えば、前記スイッチの切替に際してファクシミリ装置１に設けた鍵孔に特定の鍵が挿嵌された場合にロックが解除される構成としてもよい。
【００４６】
ファクシミリモデム４０４は、ファクシミリ装置１をＮＣＵ（不図示）を介して電話回線と接続するためのインターフェースである。
【００４７】
なお、ファクシミリ装置１では、非課金モードの状態では、利用料を支払うことなく、ファクシミリ送信をすることができるが、顧客の無銭利用を回避するための手段が講じられている。例えば、課金処理要否指定手段により課金処理の実行が指定されていない状態では、暗証番号の入力操作を除き、操作部１０１での操作を機器制御部４０３が受付けない構成とし、所定の暗証番号が操作部１０１において入力された場合に機器制御部４０３は操作部１０１での操作を受付ける。この場合に限り非課金モードでのファクシミリサービスの利用ができるようになっている。
【００４８】
＜メモリ送信中におけるメモリ送信ジョブの実行優先度＞
つぎに、メモリ送信中におけるメモリ送信ジョブの処理優先度について説明する。操作者が操作部１０１においてメモリ送信をするための操作をすると、原稿読取装置１０２にセットされた原稿が同装置の読取部によって読み取られ、機器制御部４０３によりメモリ送信をするためのメモリ送信ジョブが生成される。生成されたメモリ送信ジョブは、メモリ４０６上に形成されている、例えば図１５に示すような、メモリ送信予約テーブルに登録される。
【００４９】
メモリ送信予約テーブルは、ジョブＩＤを格納する「ジョブＩＤ」フィールド、モードを格納する「モード」フィールド及び割り込みフラグを格納する「割込みフラグ」フィールドで構成されている。ジョブＩＤは番号からなり、その番号はメモリ送信ジョブの予約が行われた順に機器制御部４０３により付与される。つまり、メモリ送信ジョブが生成された順に１ずつ増加する連番が、１から順にジョブＩＤとしてメモリ送信ジョブに付与される。例えば、メモリ送信ジョブが蓄積されていない状態で、新たなメモリ送信ジョブが生成された場合、そのメモリ送信ジョブのジョブＩＤは「１」となり、そのメモリ送信ジョブが未実行で残っている状態で新たなメモリ送信ジョブが生成されると、当該新たなメモリ送信ジョブのジョブＩＤは「２」となる。ジョブＩＤが「１」であるメモリ送信ジョブの実行処理が終了してそのジョブが消滅した後、ジョブＩＤが「２」のメモリ送信ジョブが残っている状態で更に新たなメモリ送信ジョブが発生した場合は、そのジョブＩＤは「１」とはならず、「３」となる。ジョブＩＤが小さいほど優先度が高い。つまり、機器制御部４０３は、他の優先度を定める条件が同じであれば、ジョブＩＤが小さいメモリ送信ジョブをそれよりジョブＩＤが大きいメモリ送信ジョブよりも優先して実行する。
【００５０】
メモリ送信予約テーブル４０６ｃにおいては、前述のジョブＩＤのほか、各メモリ送信ジョブに対してモード及び割込みフラグが対応付けられている。モードは、メモリ送信ジョブの実行時の送信処理モード（課金モード又は非課金モード）となる。優先度は、課金モードのメモリ送信ジョブが非課金モードのメモリ送信ジョブよりも高い。つまり、機器制御部４０３は、課金モードのメモリ送信ジョブを非課金モードのメモリ送信ジョブよりも優先して実行する。
【００５１】
割り込みフラグについては、課金モードのメモリ送信ジョブには、常に割込みフラグ「１」が設定され、非課金モードのメモリ送信ジョブには、割込みフラグ「１」が設定される場合と割込みフラグが設定されず「０」が設定される場合がある。「０」よりも「１」の方が優先度が高い。機器制御部４０３は、ジョブＩＤにかかわらず、割込みフラグ「１」が設定されるメモリ送信ジョブを割込みフラグが設定されていないメモリ送信ジョブよりも優先して実行する。
【００５２】
図１５に示したメモリ送信予約テーブル４０６ｃをメモリ送信ジョブの実行優先度順に並べたものを図１６に示す。ここでは、課金モードでのメモリ送信ジョブがジョブＩＤ順、つまり、ジョブ生成時の時刻順に配列され、且つ、非課金モードでのメモリ送信ジョブよりも先順に配列される。非課金モードでのメモリ送信ジョブは、課金モードでのメモリ送信ジョブよりも後順に配列され、さらに、割込みフラグ「１」が設定された非課金モードでのメモリ送信ジョブは、割込みフラグ「１」が設定されていない非課金モードでのメモリ送信ジョブよりも先順に配列される。勿論、先順に配列されたものほど優先度が高く先に実行される。
【００５３】
＜優先度に従った割込み送信処理＞
ファクシミリ装置１が実行する割込み送信処理には、以下の４つの形態がある。すなわち、第１の割込み送信処理は、ファクシミリ装置１がダイレクト送信処理中に、当該送信処理を中断し、新たなダイレクト送信処理を割込んで実行する形態である。第２の割込み送信処理は、ダイレクト送信処理中に当該送信処理を中断し、メモリ送信処理を割込んで実行する形態である。第３の割込み送信処理は、メモリ送信中に発生したメモリ送信ジョブの優先度が現在実行中のメモリ送信ジョブの優先度よりも高い場合に、現在実行中のメモリ送信を中断し、当該優先度が高いメモリ送信ジョブを割込んで実行する形態である。第４の割込み送信処理は、メモリ送信中に当該送信を中断し、新たなダイレクト送信処理を割込んで実行する形態である。
【００５４】
なお、割り込み送信処理を行う際には、現在送信中の原稿データがある場合は、送信中の頁の転送が完了した後に、送信処理を中断し、割り込み送信処理が実行される。
【００５５】
＜ファクシミリ装置の送信処理動作＞
ファクシミリ装置１の割込み送信処理では、非課金モードでの送信処理よりも課金モードでの送信処理が優先される。つまり、課金モードでの送信処理中は、いかなる場合であっても非課金モードでの送信処理を割り込んで実行しないようになっている。また、課金モードでの送信処理中には、課金モードであっても送信処理を割り込んで実行することはできない。ただし、課金モードでのメモリ送信処理において原稿の読取動作が完了している場合は、非課金モード及び課金モードの何れのモードでも、メモリ送信処理の予約を行うことは可能である。
【００５６】
一方、非課金モードでの送信処理中は、非課金モードでも課金モードでも割り込み送信処理を行うことができるようになっている。この場合に、先述の優先度を考慮した割り込み送信処理が発生することがある。
【００５７】
以下、図５〜８のフローチャートに基づいて、前記した第１〜４の割込み送信処理に関するファクシミリ装置１の具体的な処理動作及びそのファクシミリ装置１が実施するファクシミリ送信方法について説明する。具体的な説明に入る前に、図５〜８のフローチャートと図４のブロック図との関係について特徴的な部分を説明する。
【００５８】
図５のＳ５０４、図８のＳ８０８、Ｓ８０９などの画面表示は、機器制御部４０３のモード管理部４０９と表示画面制御部４１０とが連携することで処理される。
【００５９】
例えば、Ｓ５０４の画面表示では、表示画面制御部４１０は、管理部４０９で判断されているモードが何れであっても、同一の表示をするように制御する。一方、図８のＳ８０８、Ｓ８０９の画面表示では、モード管理部４０９が実行中のメモリ送信処理のモードをメモリ送信予約テーブル４０６ｃに格納された情報に基づいて判断し、該判断結果に従って表示画面制御部４１０は、表示画面の制御を行う。具体的には、表示画面制御部４１０は、メモリ送信中に当該メモリ送信のモードが課金モードの場合は（Ｓ８０８）、「送信できます」とのメッセージを表示し、当該メモリ送信のモードが非課金モードの場合は（Ｓ８０９）「メモリ送信中」とのメッセージを表示する。
【００６０】
割り込み判断部４０８は、割り込み送信処理全体の制御に関わっている。例えば、図５のＳ５０９では、割り込み判断部４０８は現在メモリ送信ジョブの実行中であるか否かをチェックし、メモリ送信が行われている場合は、ダイレクトフラグをＯＮにする（Ｓ５１４）。この処理は、非課金モードでのメモリ送信ジョブ実行中にダイレクト送信処理を割り込ませるために必要な処理である。また、割り込み判断部４０８は、図６のＳ６０５、図７のＳ７０４で、操作パネル１０１で割込み送信処理の要求のための操作として割り込みキー３０７が押下された場合に割り込み送信処理の許否を判断する。さらにその後の処理、例えばＳ６０６、Ｓ６０８〜Ｓ６１０等の処理も割り込み判断部４０８が関わる。
【００６１】
以下、店舗に設置されたファクシミリ装置１を顧客又は店員が利用してファクシミリ送信する場合の具体的手順について説明する。
【００６２】
まず、ファクシミリサービスの利用について課金処理を実行するか否かの指定操作が店員によりなされる。顧客がファクシミリサービスを利用する場合は、前記指定操作により課金処理の実行が指定される。この場合、ファクシミリ装置１は課金モードでの送信処理要求を受付ける状態となる。一方、店員が店舗業務にファクシミリサービスを利用する場合は、前記指定操作により課金処理の実行は指定されない。この場合、ファクシミリ装置１は非課金モードでの送信処理要求を受付ける状態となる。但し、顧客が非課金モードでファクシミリサービスを利用することを防止するために操作部１０１にロックが掛かっており、これを解除するための操作が店員によってなされる。
【００６３】
［ダイレクト送信処理］
図５は、ファクシミリ装置１がダイレクト送信処理を行う場合とメモリ送信予約を行う場合の処理を示すフローチャートである。
【００６４】
ファックス／イメージ送信キー２０４が押下されるとファクシミリ送信処理が開始され（Ｓ５０１）、ＬＣＤタッチパネル１０１ａに送信設定画面３０１（図３参照）が表示される（Ｓ５０２）。次いで、原稿読取装置１０２に送信すべき原稿がセットされると（Ｓ５０３）、メッセージ表示部３０２に、画像読取部１０２に原稿がセットされている旨を示す情報、例えば「原稿があります。」との文字列、が表示される（Ｓ５０４）。操作者が送信設定部３０３で、送信処理の要求のための操作、すなわち、送信方法（メモリ送信又はダイレクト送信）、原稿の濃度、原稿の画質、原稿サイズなどを指定して、テンキー等にて相手先のファクシミリ番号を指定した後（Ｓ５０５）、スタートキー２０５を押下すると、機器制御部４０３は、このとき課金処理の実行が指定されていれば、当該送信処理の要求を課金モードでの送信処理の要求として受付ける（Ｓ５０７）。一方、課金処理の実行が指定されていなければ、機器制御部４０３は当該送信処理の要求操作を非課金モードでの送信処理の要求として受付ける（Ｓ５０７）。
【００６５】
次いで、Ｓ５０５で入力指定された情報に基づいて、送信方法がメモリ送信かダイレクト送信かを判断する（Ｓ５０８）。ここで、機器制御部４０３は、ダイレクト送信であると判断すると、更に、現在メモリ送信ジョブの実行中であるかどうかを判断し（Ｓ５０９）、メモリ送信ジョブの実行中でない場合は、図６に示す、ダイレクト送信処理を開始する（Ｓ５１０）。
【００６６】
図６は、ダイレクト送信処理を表したフローチャートである。ファクシミリ装置１がダイレクト送信処理を開始すると（Ｓ６０１）、機器制御部４０３は、送信設定入力（Ｓ５０５）で指定されたファクシミリ番号へファクシミリモデム４０４にてダイヤルし（Ｓ６０２）、画像読取部１０２が１枚目の原稿のスキャンを開始すると同時に、スキャンが済んだ頁より原稿データの送信が始まる（Ｓ６０３）。この時、ダイレクト送信中である旨の情報が報知される。報知は、例えば、メッセージ表示部３０２に、「ダイレクト送信中」との文字列が表示されることにより行われる。このダイレクト送信処理が非課金モードである場合に、割込み送信処理の要求操作として操作者により割り込みキー３０７が押下されると（Ｓ６０５）、割り込み送信処理へ移行する。しかし、実行中のダイレクト送信処理が課金モードである場合は、割り込みキー３０７が押下されても機器制御部４０３は当該割込み送信処理の要求を無視して（Ｓ６０５）、処理を続行し、実行中のダイレクト送信処理に係る原稿が全てスキャンされたか否かを確認する（Ｓ６０７）。原稿が全てスキャンされていない場合は次頁の原稿のスキャン及び送信が行われ（Ｓ６０３）、全ての頁がスキャンされた後（Ｓ６１２）、Ｓ５２１（図５）へ処理が移行する。
【００６７】
Ｓ５１１では、送信処理が完了した旨の情報が報知される。報知は、例えば、メッセージ表示部３０２に、「送信が完了しました。」との文字列が表示されることにより行われる。そして、モード管理部４０９により当該完了した送信処理のモードが課金モードか非課金モードか判断され（Ｓ５１２）、課金モードの場合は、課金処理部４０５にて課金処理が行われ（Ｓ５１３）、その後送信処理が終了する。非課金モードの場合は、課金処理が行われずに、送信処理が終了する（Ｓ５２２）。
【００６８】
以上は、割り込み送信処理が行われなかった場合のダイレクト送信処理の流れである。ダイレクト送信処理中に割り込み送信処理が行われる場合、つまり、Ｓ６０５において実行中のダイレクト送信処理が非課金モードである場合に、割込み送信処理の要求操作として割り込みキー２０６が押下されていれば、割込み送信処理を行うか否かについて操作者の許否判断を求める処理動作が実行される。例えば図９に示すような、確認メッセージウィンドウがＬＣＤタッチパネル１０１ａに表示される（Ｓ６０６）。そして、操作者により割込み送信処理の実行を許可する操作、例えば図９の確認メッセージウィンドウにおいて「Ｙｅｓ」が選択される操作が行われると、機器制御部４０３はダイレクト送信処理（原稿のスキャン及び原稿データの送信）を中断し（Ｓ６０８）、原稿読取装置１０２はスキャン中の原稿を開放する（Ｓ６０９）。
【００６９】
そして、割込み送信処理が実行されたことと割込まれた頁とが報知される。報知は、例えば図１０に示すような文字列がＬＣＤタッチパネル１０１ａに表示されることにより行われる。同時に、機器制御部４０３は、相手装置に対して、割込み送信処理が発生したこと、送信を中断すること、割り込みが発生した頁、再度ファクシミリ送信する旨の文字列、及び割り込み発生日時が記載された割込み通知書のデータ（例えば画像データ）を生成し、これを当該相手装置へ送信する。前記割り込み通知書の内容は、例えば図１１に示されるようなメッセージを記載したものである（Ｓ６１０）。その後、処理をＳ６１１（Ｓ５１９）へ移行し、割り込み送信処理に係る送信処理が開始される。
【００７０】
以上が、ダイレクト送信処理中に非課金モードで割込み送信処理を行う場合の処理動作である。
【００７１】
［メモリ送信処理（原稿の読取）］
メモリ送信処理には、原稿データをメモリ４０６に一時保存した後、保存した原稿データを指定された日時に送信するものや、保存した原稿データを同報送信するものなどがある。本発明の実施の形態では、メモリ４０６に原稿データを一時保存した後、すぐに相手先にダイヤルし送信する場合を例に挙げて説明する。なお、ダイレクト送信処理とメモリ送信処理との切り替えは、送信設定部３０３での所定操作により行われる。
【００７２】
図５において、先に説明した送信設定画面表示（Ｓ５０２）からスタートキー２０５の押下（Ｓ５０６）までが行われた後、機器制御部４０３により、Ｓ５０８でメモリ送信処理と判断された場合、メモリ４０６に原稿データを保存するために原稿読取装置１０２による原稿読取処理が行われる（Ｓ５１６）。
【００７３】
図７に、その原稿読取処理のフローを示す。原稿読取処理が開始されると（Ｓ７０１）、原稿の１枚目がスキャンされ（Ｓ７０２）、メモリ送信のためのスキャン中である旨の情報が報知される。例えば、メッセージ表示部３０２に、「メモリ送信スキャン中」との文字列が表示されることにより報知される（Ｓ７０３）。このメモリ送信処理（メモリ送信のための原稿読取処理）が非課金モードである場合に、割込み送信処理の要求操作として割り込みキー２０６が押下されると（Ｓ７０４）、機器制御部４０３の割込み判断部４０８は、処理を割り込み送信処理へ移行させるが、そうでない場合は、原稿読取装置１０２を通じて、そこにセットされた原稿が全てスキャンされたか否かを確認する（Ｓ７０５）。原稿が全てスキャンされていないと判断された場合は、次頁の原稿をスキャンし（Ｓ７０２）、全頁の原稿がスキャンされたと判断された場合は（Ｓ７１４）、Ｓ５２０へ処理が移行する。
【００７４】
次いで、機器制御部４０３は、メモリ送信ジョブを生成して、これをメモリ送信予約テーブル４０６ｃ（図１５）に追加することにより予約を行い（Ｓ５１７）、メモリ送信ジョブが予約された旨を報知する。例えば、メッセージ表示部３０２に「メモリ予約しました。」との文字列を表示することにより報知する（Ｓ５１８）。
【００７５】
次いで、機器制御部４０３は、モード管理部４０９により、Ｓ５１７で生成しメモリ送信予約テーブル４０６ｃに追加したメモリ送信ジョブのモードを判断し（Ｓ５１２）、そのモードが課金モードである場合は、課金処理部４０５にて課金処理を行わせて（Ｓ５１３）、送信処理を終了する（Ｓ５２２）。非課金モードである場合は、課金処理を行わせずに、送信処理を終了する（Ｓ５２２）。
【００７６】
以上が、メモリ送信のための原稿読取み中に割り込み送信処理が行われない場合の送信処理の流れである。メモリ送信のための原稿読取み中に割り込み送信処理が発生した場合、つまり、Ｓ７０４においてメモリ送信のためのスキャン処理が非課金モードであって、割込み送信処理の要求操作として割り込みキー２０６が押下されていれば、割込み送信処理を行うか否かについて操作者の許否判断を求める処理動作が実行される。例えば図９に示すような、割り込み確認メッセージウィンドウがＬＣＤタッチパネル１０１ａに表示される（Ｓ７０６）。そして、操作者により割り込み送信処理の実行を許可する操作、例えば図９の割り込み確認メッセージウィンドウにおいて「ＹＥＳ」が選択される操作が行われると、メモリ４０６に読込み済みの原稿データを保存するか否かの確認操作を求める情報が出力される。例えば図１２に示すような、メッセージウィンドウがＬＣＤタッチパネル１０１ａに表示出力される（Ｓ７０７）。そこで、読込み済みの原稿データの保存を指示する操作、例えば当該メッセージウィンドウ上での「ＹＥＳ」の選択操作が行われた場合は、機器制御部４０８は、読み込み済の原稿データをメモリ４０６に保存する（Ｓ７０８）。一方、読み込み済みの原稿データの消去を指示する操作、例えば当該メッセージウィンドウ上での「ＮＯ」の選択操作が行われた場合は、機器制御部４０８は、読込み済みの原稿データをメモリ４０６上から消去する。その後、原稿読取装置１０２に原稿のスキャンを中断させ（Ｓ７１０）、スキャン中の原稿を開放させる（Ｓ７１１）。
【００７７】
そして、自装置１において、割込み送信処理が実行されたこと、及びスキャンを中断したことが報知される。報知は、例えば、ＬＣＤタッチパネル３０１に、図１３に示すような文字列が表示されることにより行われる。その後、処理をＳ７１３（Ｓ５１９）へ移行し、割り込み送信処理が開始される。以上が、非課金モードでメモリ送信のための原稿読取処理中に割り込み送信処理が実行される場合の処理動作である。
【００７８】
［メモリ送信処理（原稿データの送信）］
図８は、メモリ４０６に読み込んだ原稿データを読み出してメモリ送信する場合の処理を示すフローチャートである。このフローチャートに示す処理動作は図５のフローチャートに示す処理動作と並行して進行する。例えば、送信設定を行っている時（Ｓ５０５）やメモリ送信のためのスキャン処理中（図５のフローチャートの処理中）に、メモリ送信処理（図８のフローチャート）が並行して行われる。
【００７９】
図８に示すように、メモリ送信処理のための手順は常にループしており、ダイレクト送信処理の実行中を除いて、機器制御部４０３は、メモリ送信ジョブの実行中に、常に他のメモリ送信ジョブの予約状況を監視するようになっている（Ｓ８０２，Ｓ８０３）。
【００８０】
機器制御部４０３が、メモリ送信ジョブの予約（以下「メモリ送信予約」ともいう。）をメモリ送信予約テーブル４０６ｃ（図１５参照）において発見した場合は、発見したメモリ送信ジョブのうち優先度の最も高いものを選択し（Ｓ８０４）、選択したメモリ送信ジョブを実行して原稿データの１枚目の送信を開始する（Ｓ８０５）。
【００８１】
その後、実行中のメモリ送信ジョブが非課金モードであって（Ｓ８０６）、ファクシミリ装置１（機器制御部４０３）が課金モードでの送信処理の要求を受付ける状態にあれば（Ｓ８０７）、送信できる旨の報知が行われ、メモリ送信中である旨の報知は行われない（Ｓ８０８）。報知は、例えば、メッセージ表示部３０２に「送信できます」との文字列を表示させることにより行われる（Ｓ８０８）。Ｓ８０８の処理動作により、顧客はファクシミリ装置がメモリ送信中であることを意識せずに、ファクシミリサービスを利用することができる。
【００８２】
一方、実行中のメモリ送信ジョブが非課金モードであって（Ｓ８０６）、ファクシミリ装置１（機器制御部４０３）が非課金モードでの送信処理の要求を受付ける状態にあれば（Ｓ８０７）、メモリ送信中である旨の報知が行われる（Ｓ８０９）。報知は、例えば、メッセージ表示部３０２に「メモリ送信中」との文字列を表示させることにより行われる（Ｓ８０９）。
【００８３】
その後、ダイレクトフラグがＯＦＦであり（Ｓ８１０）、機器制御部４０３が現在実行中のメモリ送信ジョブより優先度の高いメモリ送信ジョブをメモリ送信予約テーブル（図１５）において発見しなければ（Ｓ８１１）、全頁の原稿データが送信されたか否かが確認される（Ｓ８１２）。なお、既述の説明から明らかなように、ダイレクトフラグはメモリ送信処理中にダイレクト送信による割り込み要求が発生したかどうかを監視するためのフラグである。
【００８４】
全頁の原稿データが送信されていなければ、次頁の原稿データを送信する（Ｓ８０５）。全頁の原稿データが送信されていれば、機器制御部４０３は、送信済みの原稿データをメモリ４０６から削除し（Ｓ８１３）、メモリ送信処理が完了した旨を報知する。報知は、例えば図１４に示すような文字列（図１４参照）をＬＣＤタッチパネル３０１に表示することにより行う（Ｓ８１４）。その後、処理をメモリ送信予約状況の監視に戻す（Ｓ８０２、Ｓ８０３）。
【００８５】
以上がメモリ送信ジョブの実行中に割り込み送信処理の要求が発生しない場合のファクシミリ装置１の処理動作である。
【００８６】
以下では、メモリ送信ジョブの実行中に割り込み送信処理の要求が発生した場合について説明する。メモリ送信ジョブの実行中には、ダイレクト送信処理の割り込み要求が発生する場合と、メモリ送信処理の割り込み要求が発生する場合とがある。これらは処理動作が異なるので別々に分けて説明する。
【００８７】
まず、メモリ送信ジョブの実行中に、ダイレクト送信処理の割込み要求が発生する場合について説明する。ダイレクト送信を開始する前に、図５のＳ５０９において、割込み判断部４０８により、メモリ送信ジョブの実行中であるかどうか判断される。Ｓ５０９でメモリ送信ジョブの実行中であると判断された場合、ダイレクトフラグがＯＮにされる（Ｓ５１４）。すると、ダイレクトフラグがＯＦＦにされるまで、図５のファクシミリ送信処理フローは待機することとなり（Ｓ５１５）、一方で、図８のメモリ送信フローのＳ８１０でダイレクトフラグがＯＮであることが割込み判断部４０８により検知される。つまり、ダイレクト送信処理の割り込み要求があったことが検知される。
【００８８】
Ｓ８１０でダイレクトフラグがＯＮであることが割込み判断部４０８により検知されると、機器制御部４０３は割込みを要求しているダイレクト送信処理が非課金モードであれば（Ｓ８１５）、割込み送信処理を行うか否かについて操作者の許否判断を求める処理動作を実行する。例えば図９に示すような、確認メッセージウィンドウがＬＣＤタッチパネル１０１ａに表示される（Ｓ８１６）。そして、操作者により割込み送信処理の実行を許可する操作、例えば図９の確認メッセージウィンドウにおいて「Ｙｅｓ」が選択される操作が行われると、機器制御部４０３は実行中の送信処理を中断し、未送信頁の原稿データを送信するためのジョブを生成し、メモリ送信予約テーブルに再予約する（Ｓ８１７）。ここで生成するジョブのジョブＩＤ、モード、割り込みフラグは、実行が中断された元のジョブと同じである。その後、ダイレクトフラグがＯＦＦにされ（Ｓ８１８）、図５のファクシミリ送信処理フローでの待機が解除されて（Ｓ５１５）、ダイレクト送信処理が開始される（Ｓ５１０）。
【００８９】
Ｓ８１５において、割込みを要求しているダイレクト送信処理が課金モードであれば、前記Ｓ８１６の判断動作は行われずに、Ｓ８１７へ処理が移行する。
【００９０】
次に、メモリ送信ジョブの実行中に他のメモリ送信処理が割り込む場合について説明する。図８のＳ８１１において、機器制御部４０３の割込み判断部４０８は、メモリ送信予約テーブル（図１５）において現在実行中のメモリ送信ジョブよりも優先度の高いメモリ送信ジョブが存在するか否かを判断し、優先度の高いメモリ送信ジョブを発見した場合には、機器制御部４０３は、実行中のメモリ送信を中断するとともに、未送信頁の原稿データを後に送信するためのメモリ送信ジョブを生成して、これをメモリ送信予約テーブルに再予約する（Ｓ８１９）。
【００９１】
そして、処理がＳ８０２に戻され、再びメモリ送信予約テーブル（図１５）で優先度が最も高いメモリ送信ジョブが選択される。この場合、Ｓ８１１において発見されたメモリ送信ジョブが選択されることとなり、当該発見されたメモリ送信ジョブがＳ８１９で中断されたメモリ送信処理に対して割込んで実行されることとなる。以上が、非課金モードでのメモリ送信ジョブの実行中に、他のメモリ送信処理の割り込みを行う場合の手順である。
【産業上の利用可能性】
【００９２】
本発明は、例えば、コンビニエンスストア等の店舗でファクシミリサービスを提供するために設置されているファクシミリ装置及びそのファクシミリ送信方法に適用可能である。
【図面の簡単な説明】
【００９３】
【図１】本発明の実施の形態におけるファクシミリ装置の外観を示した概略図である。
【図２】本発明の実施の形態におけるファクシミリ装置の操作パネルを示した図である。
【図３】本発明の実施の形態におけるファクシミリ装置のＬＣＤタッチパネル表示を示した図であって、ファクシミリ送信設定用の画面を示した図である。
【図４】本発明の実施の形態におけるファクシミリ装置の機能ブロック図である。
【図５】本発明の実施の形態におけるファクシミリ送信処理手順を示したフローチャートである。
【図６】本発明の実施の形態におけるファクシミリ送信処理手順を示したフローチャートであって、ダイレクト送信時の処理動作を示したものである。
【図７】本発明の実施の形態におけるファクシミリ送信処理手順を示したフローチャートであって、メモリ送信のための原稿読取処理手順を示したものである。
【図８】本発明の実施の形態におけるファクシミリ送信処理手順を示したフローチャートであって、メモリ送信手順を示したものである。
【図９】割り込み確認メッセージウィンドウの一例を示した図である。
【図１０】ダイレクト送信処理中に割込み送信処理が実行された際のメッセージウィンドウの一例を示した図である。
【図１１】相手装置へ送信する割込み通知書の具体例を示した図である。
【図１２】メモリ送信のためのスキャン中に割り込み送信処理要求が発生した場合に表示されるメッセージウィンドウであって、操作者に読取済原稿データを保存するか否かの指示操作を求めるものである。
【図１３】メモリ送信のためのスキャン中に割り込み送信処理要求が発生した場合に表示されるメッセージウィンドウの具体例を示した図である。
【図１４】メモリ送信が完了したときに表示されるメッセージウィンドウの一例を示した図である。
【図１５】メモリ送信予約テーブル（ジョブＩＤ順）の一例を示した図である。
【図１６】メモリ送信予約テーブルの説明図であって、優先度順にジョブが配列されたものを示したものである。
【符号の説明】
【００９４】
１  ファクシミリ装置
１０１  操作部
１０１ａ  ＬＣＤタッチパネル
２０６  割込みキー
３０２  メッセージ表示部
４０３  機器制御部
４０５  課金処理部
４０６  メモリ
４０８  割込み判断部
４０９  モード管理部
４１０  表示画面制御部
【図１】
2008219770.tif 000003
【図２】
2008219770.tif 000004
【図３】
2008219770.tif 000005
【図４】
2008219770.tif 000006
【図５】
2008219770.tif 000007
【図６】
2008219770.tif 000008
【図７】
2008219770.tif 000009
【図８】
2008219770.tif 000010
【図９】
2008219770.tif 000011
【図１０】
2008219770.tif 000012
【図１１】
2008219770.tif 000013
【図１２】
2008219770.tif 000014
【図１３】
2008219770.tif 000015
【図１４】
2008219770.tif 000016
【図１５】
2008219770.tif 000017
【図１６】
2008219770.tif 000018